【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
コンピュータシステムにおける１つまたは複数のプロセスの実行により、ベンチマーク定義を包含する電子データ構造を処理する方法であって、
前記電子データ構造はＳＧＭＬベースの言語によって読取り可能なフォーマットを有するファイルである、電子データ構造を処理する方法において、
１つまたは複数の前記電子データ構造を電子手段により受信することを特徴とする、方法。
【請求項２】
コンピュータシステムにおける１つまたは複数のプロセスの実行により、ベンチマーク定義を包含する電子データ構造を処理する方法であって、
前記電子データ構造はＳＧＭＬベースの言語によって読取り可能なフォーマットを有するファイルであり、該ファイルはさらにベンチマークデータを包含する、電子データ構造を処理する方法において、
１つまたは複数の前記電子データ構造を電子手段により受信することを特徴とする、方法。
【請求項３】
前記電子手段はインターネットを含み、１つまたは複数の前記電子データ構造とのリンクがインターネットページ上に設けられており、該リンクを１つまたは複数の前記電子データ構造の受信に使用する、請求項１または２記載の方法。
【請求項４】
１つまたは複数の前記電子データ構造内に包含されている１つまたは複数のベンチマーク定義またはベンチマークデータを、ビジネスプロセスを支援するソフトウェアに取り入れる、請求項１から３までのいずれか１項記載の方法。
【請求項５】
前記ベンチマーク定義の取り入れを自動的に実施し、さらに、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項４記載の方法。
【請求項６】
前記ベンチマークデータの取り入れを自動的に実施し、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項４または５記載の方法。
【請求項７】
キーワードによって識別された情報および該情報が書き込まれるデータベース構造をアルゴリズムによって相互に割り当てる、請求項５または６記載の方法。
【請求項８】
前記アルゴリズムは１つまたは複数の表または１つまたは複数の規則を包含する、請求項７記載の方法。
【請求項９】
１つまたは複数の前記規則は１つまたは複数の表に包含される、請求項８記載の方法。
【請求項１０】
前記データベース構造は事前定義可能である、請求項７から９までのいずれか１項記載の方法。
【請求項１１】
前記電子データ構造内に包含されているベンチマーク定義を、前記電子データ構造内のベンチマーク定義の第１のＩＤがビジネスプロセスを支援するソフトウェア内のベンチマーク定義の第２のＩＤに割り当てられている表を用いて、ビジネスプロセスを支援する前記ソフトウェア内に包含されている等価のベンチマーク定義にマッピングする、請求項１から１０までのいずれか１項記載の方法。
【請求項１２】
ビジネスプロセスを支援するソフトウェア、例えば企業資源計画ソフトウェアにおいて使用する、請求項１から１１までのいずれか１項記載の方法。
【請求項１３】
前記ファイルはＸＭＬファイルまたはＨＴＭＬファイルである、１から１２までのいずれか１項記載の方法。
【請求項１４】
コンピュータシステムにおける１つまたは複数のプロセスの実行により、ベンチマーク定義を包含する電子データ構造を処理するコンピュータシステムであって、
前記電子データ構造はＳＧＭＬベースの言語によって読取り可能なフォーマットを有するファイルである、コンピュータシステムにおいて、
−プログラム命令を有するメモリと、
−データを入力する入力手段と、
−データを記憶する記憶手段と、
−１つまたは複数の前記電子データ構造を電子手段により受信するプログラム命令に応答するプロセッサとを備えることを特徴とする、コンピュータシステム。
【請求項１５】
コンピュータシステムにおける１つまたは複数のプロセスの実行により、ベンチマーク定義を包含する電子データ構造を処理するコンピュータシステムであって、
前記電子データ構造はＳＧＭＬベースの言語によって読取り可能なフォーマットを有するファイルであり、該ファイルはさらにベンチマークデータを包含する、コンピュータシステムにおいて、
−プログラム命令を有するメモリと、
−データを入力する入力手段と、
−データを記憶する記憶手段と、
−１つまたは複数の前記電子データ構造を電子手段により受信するプログラム命令に応答するプロセッサとを備えることを特徴とする、コンピュータシステム。
【請求項１６】
前記電子手段はインターネットを含み、１つまたは複数の前記電子データ構造とのリンクがインターネットページ上に設けられており、該リンクが１つまたは複数の前記電子データ構造の受信に使用される、請求項１４または１５記載のコンピュータシステム。
【請求項１７】
１つまたは複数の前記電子データ構造内に包含されている１つまたは複数のベンチマーク定義またはベンチマークデータを、ビジネスプロセスを支援するソフトウェアに取り入れる、請求項１４から１６までのいずれか１項記載のコンピュータシステム。
【請求項１８】
前記ベンチマーク定義の取り入れが自動的に実施され、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項１７記載のコンピュータシステム。
【請求項１９】
前記ベンチマークデータの取り入れが自動的に実施され、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項１７または１８記載のコンピュータシステム。
【請求項２０】
キーワードによって識別された情報および該情報が書き込まれるデータベース構造がアルゴリズムによって相互に割り当てられる、請求項１８または１９記載のコンピュータシステム。
【請求項２１】
前記アルゴリズムは１つまたは複数の表または１つまたは複数の規則を包含する、請求項２０記載のコンピュータシステム。
【請求項２２】
１つまたは複数の前記規則は１つまたは複数の表に包含されている、請求項２１記載のコンピュータシステム。
【請求項２３】
前記データベース構造は事前定義可能である、請求項２０から２２までのいずれか１項記載のコンピュータシステム。
【請求項２４】
前記電子データ構造内に包含されているベンチマーク定義を、前記電子データ構造内のベンチマーク定義の第１のＩＤがビジネスプロセスを支援するソフトウェア内のベンチマーク定義の第２のＩＤに割り当てられている表を用いて、ビジネスプロセスを支援する前記ソフトウェア内に包含されている等価のベンチマーク定義にマッピングする、請求項１４から２３までのいずれか１項記載のコンピュータシステム。
【請求項２５】
ビジネスプロセスを支援するソフトウェア、例えば企業資源計画ソフトウェアにおいて使用される、請求項１４から２４までのいずれか１項記載のコンピュータシステム。
【請求項２６】
前記ファイルはＸＭＬファイルまたはＨＴＭＬファイルである、請求項１４から２５までのいずれか１項記載のコンピュータシステム。
【請求項２７】
コンピュータシステムにおける１つまたは複数のプロセスの実行により、ベンチマーク定義を包含する電子データ構造を処理する命令を包含するコンピュータ読取り可能媒体であって、
前記電子データ構造はＳＧＭＬベースの言語によって読取り可能なフォーマットを有するファイルである、コンピュータ読取り可能媒体において、
１つまたは複数の前記電子データ構造を電子手段により受信する命令を有することを特徴とする、コンピュータ読取り可能媒体。
【請求項２８】
コンピュータシステムにおける１つまたは複数のプロセスの実行により、ベンチマーク定義を包含する電子データ構造を処理する命令を包含するコンピュータ読取り可能媒体であって、
前記電子データ構造はＳＧＭＬベースの言語によって読取り可能なフォーマットを有するファイルであり、該ファイルはさらにベンチマークデータを包含する、コンピュータ読取り可能媒体において、
１つまたは複数の前記電子データ構造を電子手段により受信する命令を有することを特徴とする、コンピュータ読取り可能媒体。
【請求項２９】
前記電子手段はインターネットを含み、１つまたは複数の前記電子データ構造とのリンクがインターネットページ上に設けられており、該リンクは１つまたは複数の前記電子データ構造の受信に使用される、請求項２７または２８記載のコンピュータ読取り可能媒体。
【請求項３０】
１つまたは複数の前記電子データ構造内に包含されている１つまたは複数のベンチマーク定義またはベンチマークデータを、ビジネスプロセスを支援するソフトウェアに取り入れる、請求項２７から２９までのいずれか１項記載のコンピュータ読取り可能媒体。
【請求項３１】
前記ベンチマーク定義の取り入れが自動的に実施され、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項３０記載のコンピュータ読取り可能媒体。
【請求項３２】
前記ベンチマークデータの取り入れが自動的に実施され、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項３０または３１記載のコンピュータ読取り可能媒体。
【請求項３３】
キーワードによって識別された情報および該情報が書き込まれるデータベース構造がアルゴリズムによって相互に割り当てられる、請求項３１または３２記載のコンピュータ読取り可能媒体。
【請求項３４】
前記アルゴリズムは１つまたは複数の表または１つまたは複数の規則を包含する、請求項３３記載のコンピュータ読取り可能媒体。
【請求項３５】
１つまたは複数の前記規則は１つまたは複数の表に包含されている、請求項３４記載のコンピュータ読取り可能媒体。
【請求項３６】
前記データベース構造は事前定義可能である、請求項３３から３５までのいずれか１項記載のコンピュータ読取り可能媒体。
【請求項３７】
前記電子データ構造内のベンチマーク定義の第１のＩＤがビジネスプロセスを支援するソフトウェアにおけるベンチマーク定義の第２のＩＤに割り当てられている表を用いる、前記電子データ構造内に包含されているベンチマーク定義のビジネスプロセスを支援する前記ソフトウェアに包含されている等価のベンチマーク定義へのマッピングを含む、請求項２７から３６までのいずれか１項記載のコンピュータ読取り可能媒体。
【請求項３８】
ビジネスプロセスを支援するソフトウェア、例えば企業資源計画ソフトウェアにおいて使用される、請求項２７から３８までのいずれか１項記載のコンピュータ読取り可能媒体。
【請求項３９】
前記ファイルはＸＭＬファイルまたはＨＴＭＬファイルである、請求項２７から３８までのいずれか１項記載のコンピュータ読取り可能媒体。
【請求項４０】
搬送波の形態で実施されているコンピュータデータ信号において、
コンピュータシステムにおける１つまたは複数のプロセスの実行により、ベンチマーク定義を包含する電子データ構造を処理するコードを包含し、前記電子データ構造はＳＧＭＬベースの言語によって読取り可能なフォーマットを有するファイルであり、
該コードは、１つまたは複数の前記電子データ構造を電子手段により受信する命令を包含することを特徴とする、コンピュータデータ信号。
【請求項４１】
搬送波の形態で実施されているコンピュータデータ信号において、
コンピュータシステムにおける１つまたは複数のプロセスの実行により、ベンチマーク定義を包含する電子データ構造を処理するコードを包含し、前記電子データ構造はＳＧＭＬベースの言語によって読取り可能なフォーマットを有するファイルであり、該ファイルはさらにベンチマークデータを包含し、
該コードは、１つまたは複数の前記電子データ構造を電子手段により受信する命令を包含することを特徴とする、コンピュータデータ信号。
【請求項４２】
前記ファイルはＸＭＬファイルまたはＨＴＭＬファイルである、請求項４０または４１記載のコンピュータデータ信号
【請求項４３】
電子データ構造がＳＧＭＬベースの言語によって読取り可能なフォーマットを有するファイルである、ビジネスプロセスを支援するソフトウェアにおいて電子データ構造を使用するプロセス。
【請求項４４】
電子データ構造がＳＧＭＬベースの言語によって読取り可能なフォーマットを有するファイルであり、該ファイルはさらにベンチマークデータを包含する、ビジネスプロセスを支援するソフトウェアにおいて電子データ構造を使用するプロセス。
【請求項４５】
前記ファイルはＸＭＬファイルまたはＨＴＭＬファイルである、請求項４３または４４記載の電子データ構造を使用するプロセス。